(57)【特許請求の範囲】
【請求項１】
平行な２本の本線の間に配置されるとともに、一方の本線と他方の本線とを接続するモノレール用分岐装置であって、
前記モノレール用分岐装置は、
前記一方の本線に向けて凸の円弧状である第１曲線路と、前記他方の本線に向けて凸の円弧状である第２曲線路と、から構成されており、前記第１曲線路と前記第２曲線路とは接続部を介して直列に接続されるとともに、前記接続部が水平方向に回転可能な回転台に載置されている分岐用軌道桁と、
前記一方の本線に接続するとともに、前記一方の本線側の先端を中心に水平方向に移動する直線路である第１移動用軌道桁と、
前記他方の本線を構成するとともに、前記他方の本線側の先端を中心に水平方向に移動する直線路である第２移動用軌道桁と、
から構成されており、
前記モノレール用分岐装置は、
前記分岐用軌道桁の一方の端部の下面と、前記第１移動用軌道桁の前記一方の本線側の先端の反対側の端部の下面と、を接続する複数のリンクからなるリンク装置と、
前記分岐用軌道桁の他方の端部の下面と、前記第２移動用軌道桁の前記他方の本線側の先端の反対側の端部の下面と、を接続する複数のリンクからなるリンク装置と、
前記各リンク装置を駆動する駆動装置と、
を備えており、
前記各駆動装置によって、前記分岐用軌道桁を回転させるとともに、前記第１移動用分岐桁および前記第２移動用分岐桁を前記一方の本線および前記他方の本線から離れる方向に一体に移動させて前記一方の本線から前記他方の本線への軌道を切り替えること
を特徴とするモノレール用分岐装置。
【発明の詳細な説明】
【技術分野】
【０００１】
本発明は、複線軌道のモノレールにおいて、一方の軌道から他方の軌道に進路を切り替えるモノレール分岐装置に関するものである。
【背景技術】
【０００２】
〔特許文献１〕のように、従来のモノレール分岐装置は、トラバース式の分岐装置が一般的である。一方の軌道から他方の軌道に分岐する分岐レールをトラバースして分岐するようになっている。直線鋼軌道桁を分岐方向に曲げて分岐させるようになっている〔特許文献１〕。
【０００３】
前者は、分岐装置がトラバースするだけであるので、軌道桁そのもののは移動しないので、軌道桁は簡単に構成できるが、トラバースさせるために広い面積を必要とする。
【０００４】
後者は、トラバースは必要なく設置面積は小さくできるが、軌道桁を水平方向に曲げるための構成が必要となり、構成が複雑になる。つまり、軌道桁を曲げるためにリンク装置を設置しなければならず、また保守性も悪いものである。
【０００５】
【特許文献１】特公昭５８−１２４０１号公報
【発明の開示】
【発明が解決しようとする課題】
【０００６】
本発明は、設置面積が小さくて、構成が簡単な分岐装置を提供することを目的とする。
【課題を解決するための手段】
【０００７】
上記目的は、平行な２本の本線の間に配置されるとともに、一方の本線と他方の本線とを接続するモノレール用分岐装置であって、前記モノレール用分岐装置は、前記一方の本線に向けて凸の円弧状である第１曲線路と、前記他方の本線に向けて凸の円弧状である第２曲線路と、から構成されており、前記第１曲線路と前記第２曲線路とは接続部を介して直列に接続されるとともに、前記接続部が水平方向に回転可能な回転台に載置されている分岐用軌道桁と、前記一方の本線に接続するとともに、前記一方の本線側の先端を中心に水平方向に移動する直線路である第１移動用軌道桁と、前記他方の本線を構成するとともに、前記他方の本線側の先端を中心に水平方向に移動する直線路である第２移動用軌道桁と、から構成されており、
前記モノレール用分岐装置は、前記分岐用軌道桁の一方の端部の下面と、前記第１移動用軌道桁の前記一方の本線側の先端の反対側の端部の下面と、を接続する複数のリンクからなるリンク装置と、前記分岐用軌道桁の他方の端部の下面と、前記第２移動用軌道桁の前記他方の本線側の先端の反対側の端部の下面と、を接続する複数のリンクからなるリンク装置と、前記各リンク装置を駆動する駆動装置と、を備えており、前記各駆動装置によって、前記分岐用軌道桁を回転させるとともに、前記第１移動用分岐桁および前記第２移動用分岐桁を前記一方の本線および前記他方の本線から離れる方向に一体に移動させて前記一方の本線から前記他方の本線への軌道を切り替えることを特徴とするモノレール用分岐装置によって達成できる。
【発明の効果】
【０００８】
これによれば、分岐時には、分岐用軌道桁を第１の本線，第２の本線側に移動して接続する。分岐用軌道桁の中心は回転台に載っているので、容易に回転移動できる。また、分岐用軌道桁は分岐しやすいように予め円弧状に曲げておくことができるので、分岐の走行も容易にできる。
【発明を実施するための最良の形態】
【０００９】
以下、本発明に係わるモノレール用分岐装置の一実施例を図１〜図９によって説明する。ここでは、上り線１と、下り線２に相互に乗り入れるための分岐装置３０を適用した実施例を説明する。上り線１，下り線２は平行に設置している。図４〜図９は図１，図２，図３の拡大図であり、図１，図２，図３の右半分とは、支持台１１ｂ，１１ｃが左右方向の中心であり、支持台１１ｂから右側を拡大している。図１，図２，図３の右半分とは、支持台１１ｂ，１１ｃから右半分を拡大している。
【００１０】
まず、軌道桁の構成について説明する。
【００１１】
図１，図２において、図２は分岐していない状態の平面図であり、図１が分岐した状態の平面図である。上り線１の途中と下り線２の途中との間に分岐装置３０がある。上り線１とは上側の線をいい、下り線２とは上り線の下側の線を言う。また、上り線１は右側から左側に走行するとする。下り線は、左側から右側に走行するとする。
【００１２】
固定軌道桁１１，１２，１３，２１，２２，２３，の固定部は、その長手方向端部が基礎に支持台１１ｂ，１１ｃ，１１ｄ，１１ｆ，２１ｂ，２１ｄ，２１ｅ，２１ｆで支持されている。なお、移動用軌道桁１４，２４を支持する支持台１１ｅ，２１ｃは回転台になっている。
【００１３】
上り線１は、固定軌道桁１１，１２の間に、左側から固定軌道桁１３とその先端に移動用軌道桁１４がある。移動用軌道桁１４は直線状である。
【００１４】
下り線２は、固定軌道桁２１，２２の間に、右側から固定軌道桁２３とその先端に移動用軌道桁２４がある。移動用軌道桁２４は直線状である。
【００１５】
移動用軌道桁１４，２４は分岐時に、固定軌道桁１３，２３の先端を中心として回転し、上り線１，下り線２の線上から離れる。固定軌道桁１３，２３と移動用軌道桁１４，２４との接続部は、固定軌道桁１３，２３の先端が、移動用軌道桁１４，２４と干渉しないように、固定軌道桁１３，２３の先端を削除している。他の部分は移動用軌道桁１４，２４に小隙間で接触している。削除する代わりに、固定軌道桁１３，２３、移動用軌道桁１４，２４に櫛歯状の凸部を設け、お互いに噛み合わせてもよい。櫛歯の噛み合った箇所には移動用軌道桁１４，２４の櫛歯との間に干渉防止用の隙間がある。
【００１６】
分岐装置３０は上り線１のモノレールカーが右端から下り線２の左端に走行させる場合に分岐させる。
【００１７】
分岐装置３０は、４本の円弧状の分岐用軌道桁３１，３２，３３，３４を直列に接続したものである。分岐用軌道桁３１，３２を第１の曲線路、３３，３４を第２の曲線路と言う。中心部の分岐用軌道桁３２と、３３は、回転台５１に載せている。分岐用軌道桁３１，３２は下側に向けて凸の円弧状である。分岐用軌道桁３３，３４は上側に向けて凸の円弧状である。分岐用軌道桁３１は分岐時に、固定軌道桁２１に接続する。分岐用軌道桁３４は分岐時に固定軌道桁１２に接続する。分岐用軌道桁３１，３２，３３，３４は一体で水平方向に移動（回転）する。
【００１８】
分岐用軌道桁３２，３３は、水平方向に移動（回転）するため、回転台５１の上面に設置している。
【００１９】
分岐用軌道桁３１（３４）の固定軌道桁２１（１２）側は、台車４０に載っている。移動用軌道桁１４，２４は台車４０ｂに載っている。台車４０，４０ｂはレール４１を走行できる。レール４１は上方から見て円弧状である。
【００２０】
６０は、分岐用軌道桁３１〜３４，移動用軌道桁１４，２４を移動（回転）させるための駆動装置である。駆動装置６０は、分岐用軌道桁３１，３４、移動用軌道桁２４，１４の先端部を移動させる。駆動装置６０は、駆動力を発生する電動シリンダー６１，リンク６２，６５，６３，６４からなる。リンク６３，６４は軌道桁３１，２４，３４，１４の下面に連結している。この連結は、リンク６３，６４の先端に設置したローラ６３ｒ，６３ｒ，６４ｒ，６４ｒが軌道桁３１，２４，３４，１４から下方に垂れ下がった２枚の板の間に挿入されている。前記板は軌道桁の長手方向に沿って設置されている。ローラと板とによって軌道桁を移動させることは、分岐装置において公知である（特許第２６３３９８６号公報）。
【００２１】
これによって電動シリンダー６１によってリンク６３，６４が回転することによって、軌道桁３１，２４，３４，１４が水平方向に移動（回転）する。リンク６２が縮小すると、上り線１と下り線２の間にあった軌道桁３１，３４が軌道桁２１，１２側に移動し、軌道桁３１，３４が軌道桁２１，１２に接続する。リンク６２を伸ばすと、軌道桁３１，３４は上り線１と下り線２の間に戻る。リンク６２は、電動シリンダー６１のねじ軸が挿入された筒である。
【００２２】
これによれば、分岐時には、分岐用軌道桁３１，３２，３３，３４を上り線１，下り線２側に移動（回転）して接続する。分岐用軌道桁の中心は回転台５１に載っているので、容易に回転移動できる。また、分岐用軌道桁３１，３２，３３，３４は分岐しやすいように予め円弧状に曲げておくことができるので、分岐の走行も容易にできる。
【００２３】
６６は、電動シリンダー６１を設置したポストである。６７，６８はリンク６４，６５の回転中心のポストである。ポスト６６，６７，６８は、基礎に設置している。
【００２４】
上記実施例では、電動シリンダー６１、リンク６２，６３，６４からなる駆動装置６０を用いているが、台車４０，４０ｂの回転輪を駆動力で回転させて移動させることができる。
【００２５】
また、７０は、固定軌道桁２１，１２に接続した移動用軌道桁２４，分岐用軌道桁３４を固定する固定装置である。固定装置７０は、固定軌道桁２１，１２の下部に設置されている。移動用軌道桁２４，分岐用軌道桁３４が所定位置に至ると、シリンダー７１のロッド７２を突出させ、分岐用軌道桁３１，３４の下部を支える台車４０の水平方向に設けた穴に挿入する。これによって、台車４０のレール４１に沿った移動、台車４０の浮き上がりを抑制できる。
【００２６】
固定装置７０は、上り線１，下り線２を走行するモノレールの固定軌道桁１２，２１の下方にあればよい。移動用軌道桁１４，２４の下方に対しては、分岐した際には、モノレールカーは走行しないので、不要である。移動用軌道桁１４，２４は、リンク６４を介して基礎に連結している。
【００２７】
これによれば、電動シリンダー６１によるリンク６３の駆動によって、分岐を行うことができる。
【００２８】
なお、上り線１の右側から下り線２の左側への走行について示したが、上り線１の左側から下り線２の右側への分岐は接続できないので、走行はできない。
【００２９】
以上の様に本発明によれば、分岐用軌道桁を回転させれば分岐できるので、分岐装置を簡単な構成にできるものである。また、台車の数を少なくでき、ロック装置も低減できるものである。
【図面の簡単な説明】
【００３０】
【図１】図２を分岐させた状態の本発明の１実施例の平面図。
【図２】図１の直線走行状態の平面図。
【図３】図２の側面図。
【図４】図２の左半分の拡大図。
【図５】図１の左半分の拡大図。
【図６】図２の右半分の拡大図。
【図７】図１の右半分の拡大図。
【図８】図４の側面図。
【図９】図６の側面図。
【符号の説明】
【００３１】
１…上り線、２…下り線、３１，３２，３３，３４…分岐用軌道桁、１１，１２，１３，２１，２２，２３…固定軌道桁、１４，２４…移動用軌道桁、３０…分岐装置、４０，４０ｂ…台車、４１…レール、５１…回転台、６０…駆動装置、６１…電動シリンダー、６２，６３，６４，６５…リンク、６４ｒ，６５ｒ…ローラ、６６，６７，６８…ポスト、７０…固定装置、７１…シリンダー、７２…ロッド
【図１】
0004832195.tif 000002
【図２】
0004832195.tif 000003
【図３】
0004832195.tif 000004
【図４】
0004832195.tif 000005
【図５】
0004832195.tif 000006
【図６】
0004832195.tif 000007
【図７】
0004832195.tif 000008
【図８】
0004832195.tif 000009
【図９】
0004832195.tif 000010